(57)【要約】【課題】少なくとも背面が金属製である遊技機本体を備えるものでありながら、遊技メダル等の遊技用媒体を補給する遊技用媒体補給機のノズル部を背面に簡便に固定し得るようにした遊技機を提供する。【解決手段】雀球遊技機は、メダル補給部８５を固定する木製の接続プレート２９と、背面２６に接続プレート２９を着脱自在に装着する装着部４５とを備え、該装着部４５が、メダル補給部８５を固定した接続プレート２９を、メダル補給部８５の先端である先端部８７を開口部２７に挿入した状態で嵌合させる嵌合凹部２８と、該嵌合凹部２８に嵌合した状態の接続プレート２９を抜け止め支持するスライド溝部材３２，３３及びプレート部材３４，３５とを有している。このため、木製の接続プレート２９にメダル補給部８５を木ネジ３６で簡単に固定でき、この接続プレート２９を介して、メダル補給部８５を金属製の背面２６の装着部４５に簡単に取り付けることができる。【選択図】図４
2008301867.tif 000002
【特許請求の範囲】
【請求項１】
遊技用媒体を貯留する貯留装置を、少なくとも背面が金属製若しくは樹脂製からなる遊技機本体内に備えると共に、前記背面に、前記遊技機本体外部に位置する遊技用媒体補給機の補給部材の先端部を挿入する開口部を備え、該開口部に挿入された前記先端部を介して前記貯留装置に遊技用媒体が補給されてなる遊技機において、
前記補給部材を固定する木製の接続部材と、
前記遊技機本体の前記背面に、前記接続部材を着脱自在に装着する装着部と、を備え、
該装着部は、前記補給部材を固定した前記接続部材を、前記先端部を前記開口部に挿入した状態で嵌合させる嵌合凹部と、該嵌合凹部に嵌合した状態の前記接続部材を抜け止め支持する支持部と、を有してなる、
ことを特徴とする遊技機。
【請求項２】
前記支持部は、前記嵌合凹部の一側及び他側に配置されたスライド溝部材と、前記接続部材が前記嵌合凹部に嵌合した状態で一縁部を該接続部材に接触させつつ他縁部を前記スライド溝部材に係合させるプレート部材と、を有してなる、
請求項１記載の遊技機。
【請求項３】
前記接続部材が略矩形プレート状に形成され、かつ前記嵌合凹部が該略矩形プレート状に対応する略矩形状に形成されてなり、
前記スライド溝部材は、略矩形状の前記嵌合凹部の左右幅方向の一側及び他側にそれぞれ配置されると共に、上方側から係合した前記プレート部材の下方側への抜けを規制する規制部を有してなる、
請求項２記載の遊技機。
【請求項４】
前記規制部は、折曲した爪状に形成され、かつ、
前記プレート部材は、前記スライド溝部材に係合した状態で爪状の前記規制部に当接して係合する切欠き部を有してなる、
請求項３記載の遊技機。
【請求項５】
前記支持部は、前記嵌合凹部の一側及び他側に配置された弾性爪部である、
請求項１記載の遊技機。
【発明の詳細な説明】
【技術分野】
【０００１】
本発明は、雀球遊技機やスロットマシン等の遊技機に係り、特に、筐体内に備えた貯留装置に遊技用媒体補給機から遊技用媒体を補給するようにした遊技機に関する。
【背景技術】
【０００２】
従来、遊技用媒体として遊技メダルを用いて遊技する遊技機には、雀球遊技機やスロットマシン（回胴式遊技機）が知られている。雀球遊技機には、各種遊技部品が配置された遊技盤の下部に、麻雀牌の図柄を付した所定数の入球口を備え、メダル投入口に遊技メダル（以下、単に「メダル」とも言う）が投入されると、麻雀牌の図柄を画像表示装置に適宜の組合せで自動的に表示する自動配牌機能を備えたものがある（特許文献１参照）。この雀球遊技機では、画像表示装置に表示される手牌のうちから不要な牌（不要牌）が切り捨てられた際、１個の遊技球を再度打ち出しし得る状態となり、これら切り捨て操作（捨て牌操作）及び再打ち出し操作が所定回数以内にて繰り返し行われ、所定の上がり役が完成した時点で得点が計算され、その得点に応じた数の遊技メダルが払い出される。
【０００３】
また、スロットマシンは、複数種の絵柄からなるシンボルマークを円周方向に多数（通常は２１個）備えた横３列の回胴リールを、スタートレバー操作に基づいて回転させた後、３個のストップボタンを夫々押圧操作することで、各ボタンに対応する回胴リールを順次停止させて、各回胴リールに備えたシンボルマークのうちの所定の絵柄同士が一致したときに当たりとなり、ボーナス取得として多数の遊技メダルがメダル受け皿に放出されるように構成されている（特許文献２参照）。該スロットマシンでは、主基板に装着されたＲＯＭの抽選機能により役抽選を行い、該対応役の結果に応じて回胴リールを停止制御させてシンボルマークを揃える際等に視覚的な演出を行う。
【０００４】
一般に、雀球遊技機やスロットマシンのように遊技メダルを用いる遊技機は、投入された遊技メダルを貯留するホッパユニットと、該ホッパユニット内の貯留メダルのうち所定量を超えて溢れ出た遊技メダルを受容する受容箱と、を備えている。このような遊技機は、ホッパユニットから溢れた遊技メダルを自動的に回収する回収装置と、ホッパユニット内の遊技メダルが不足したとき自動的に遊技メダルを補給する自動補給機とを備えた遊技場に設置される場合には、該自動補給機の補給部材が、筐体背面に形成された開口部から挿入された状態で該背面に固定される。
【０００５】
【特許文献１】特開２００７−０９７７８３号公報
【特許文献２】特開２００３−２７５３７２号公報
【発明の開示】
【発明が解決しようとする課題】
【０００６】
ところで、特許文献１及び２に記載されるような遊技機には、遊技機本体が木製のものや金属製のものが存在する。木製の場合、加工面では利点が多いものの、遊技島設備に設置したり取り外したりする際に、釘等の打ち込みによって破損するようなことがあり、再利用には不向きな面がある。これに対し、金属製の場合には、木製の場合のような破損は生じにくく、同じ状態を長く維持できるため、再利用には有利であるが、上述した自動補給機の補給部材を背面に固定する際に次のような不都合を生じる。
【０００７】
つまり、自動補給機の補給部材を背面に固定する固定手段は、基本的には、木製の遊技機本体に固定する木ネジを用いることが慣例となっているため、このような木ネジを使用しながらも、金属製の遊技機本体背面に簡便に取り付けできるような構造が切望される。
【０００８】
そこで本発明は、少なくとも背面が金属製若しくは樹脂製である遊技機本体を備えるものでありながら、遊技メダル等の遊技用媒体を補給する遊技用媒体補給機の補給部材を背面に簡便に固定し得るように構成し、もって上述した課題を解決した遊技機を提供することを目的とするものである。
【課題を解決するための手段】
【０００９】
請求項１に係る本発明は（例えば図１ないし図１４参照）、遊技用媒体（Ｍ）を貯留する貯留装置（５７）を、少なくとも背面（２６）が金属製若しくは樹脂製からなる遊技機本体（１ａ，６１ａ）内に備えると共に、前記背面（２６）に、前記遊技機本体外部に位置する遊技用媒体補給機の補給部材（８５）の先端部（８７）を挿入する開口部（２７）を備え、該開口部（２７）に挿入された前記先端部（８７）を介して前記貯留装置（５７）に遊技用媒体（Ｍ）が補給されてなる遊技機（１，６１）において、
前記補給部材（８５）を固定する木製の接続部材（２９）と、
前記遊技機本体（１ａ，６１ａ）の前記背面（２６）に、前記接続部材（２９）を着脱自在に装着する装着部（４５，４６）と、を備え、
該装着部（４５，４６）は、前記補給部材（８５）を固定した前記接続部材（２９）を、前記先端部（８７）を前記開口部（２７）に挿入した状態で嵌合させる嵌合凹部（２８，４７）と、該嵌合凹部（２８，４７）に嵌合した状態の前記接続部材（２９）を抜け止め支持する支持部（３２，３３，３４，３５，４２，４３）と、を有してなる、
ことを特徴とする遊技機にある。
【００１０】
請求項２に係る本発明は（例えば図４ないし図６参照）、前記支持部が、前記嵌合凹部（２８）の一側及び他側に配置されたスライド溝部材（３２，３３）と、前記接続部材（２９）が前記嵌合凹部（２８）に嵌合した状態で一縁部を該接続部材（２９）に接触させつつ他縁部を前記スライド溝部材（３２）に係合させるプレート部材（３４，３５）と、を有してなる、
請求項１記載の遊技機にある。
【００１１】
請求項３に係る本発明は（例えば図４ないし図６参照）、前記接続部材（２９）が略矩形プレート状に形成され、かつ前記嵌合凹部（２８）が該略矩形プレート状に対応する略矩形状に形成されてなり、
前記スライド溝部材（３２，３３）は、略矩形状の前記嵌合凹部（２８）の左右幅方向の一側及び他側にそれぞれ配置されると共に、上方側から係合した前記プレート部材（３４，３５）の下方側への抜けを規制する規制部（３２ｃ，３３ｃ）を有してなる、
請求項２記載の遊技機にある。
【００１２】
請求項４に係る本発明は（例えば図４ないし図６参照）、前記規制部（３２ｃ，３３ｃ）が、折曲した爪状に形成され、かつ、
前記プレート部材（３４，３５）は、前記スライド溝部材（３２，３３）に係合した状態で爪状の前記規制部（３２ｃ，３３ｃ）に当接して係合する切欠き部（３４ｂ，３５ｂ）を有してなる、
請求項３記載の遊技機にある。
【００１３】
請求項５に係る本発明は（例えば図１０ないし図１３参照）、前記支持部が、前記嵌合凹部（４７）の一側及び他側に配置された弾性爪部（４２，４３）である、
請求項１記載の遊技機にある。
【００１４】
なお、上記カッコ内の符号は、図面と対照するためのものであるが、これは、発明の理解を容易にするための便宜的なものであり、特許請求の範囲の記載に何等影響を及ぼすものではない。
【発明の効果】
【００１５】
請求項１に係る本発明によると、補給部材を固定する木製の接続部材と、背面に接続部材を着脱自在に装着する装着部とを備え、該装着部が、補給部材を固定した接続部材を、先端部を開口部に挿入した状態で嵌合させる嵌合凹部と、該嵌合凹部に嵌合した状態の接続部材を抜け止め支持する支持部とを有するので、木製の接続部材に対して補給部材を木ネジで簡単に固定でき、更に、当該接続部材を介して、補給部材を遊技機本体背面の装着部に簡単に装着することができる。従って、遊技機の少なくとも背面が金属製若しくは樹脂製であっても、遊技用媒体補給機の補給部材を簡便に取り付けることができる。そして、補給部材の背面への装着状態では、接続部材の厚みが嵌合凹部内に収容された形になるので、補給部材の背面側を向く面が該背面と略々面一になって、背面の後方に突出することがない。これにより、背面が一般的な木製である場合に該背面に直接木ネジで固定した状態と同じになるため、接続部材を介在する状況において補給部材の先端部が貯留装置に対して位置ズレするような不都合の発生を防止することができる。
【００１６】
請求項２に係る本発明によると、支持部が、嵌合凹部の一側及び他側に配置されたスライド溝部材と、接続部材が嵌合凹部に嵌合した状態で一縁部を該接続部材に接触させつつ他縁部をスライド溝部材に係合させるプレート部材とを有するので、補給部材を固定した状態の接続部材を嵌合凹部に嵌合させてから、プレート部材をスライド溝部材に係合させるだけで、補給部材を背面に簡便にかつ確実に取り付けることができる。
【００１７】
請求項３に係る本発明によると、スライド溝部材が、略矩形状の嵌合凹部の左右幅方向の一側及び他側にそれぞれ配置されると共に、上方側から係合したプレート部材の下方側への抜けを規制する規制部を有するので、補給部材を固定した状態の接続部材を嵌合凹部に嵌合させた後、プレート部材を上方側からスライド溝部材に係合させると、規制部に当接することでプレート部材の移動が自動的に止まり、その時点で補給部材を背面に確実に固定することができる。しかも、スライド溝部材の上方側から係合させたプレート部材の下方への移動を規制部で規制するので、プレート部材を重力方向に安定して保持することができる。
【００１８】
請求項４に係る本発明によると、プレート部材が、スライド溝部材に係合した状態で爪状の規制部に当接して係合する切欠き部を有するので、プレート部材をより安定して保持することができる。
【００１９】
請求項５に係る本発明によると、支持部が、嵌合凹部の一側及び他側に配置された弾性爪部からなるので、接続部材を嵌合凹部に嵌合させるため一方向に移動させるだけで、該嵌合凹部への嵌合と同時に、該嵌合凹部両側の弾性爪部を押し広げながら弾性爪部に簡単に係合させることができる。従って、補給部材を装着部に取り付ける際の操作をワンタッチ化して、より簡略にすることができる。
【発明を実施するための最良の形態】
【００２０】
以下、本発明に係る遊技機の実施形態として、遊技場等に設置される雀球遊技機を図面に沿って説明する。なお、図１は本実施形態における雀球遊技機を示す斜視図、図２は図１における遊技盤面部を抜粋して示す斜視図、図３は雀球遊技機の前扉全体を開放して内部構造を示す正面図である。
【００２１】
本実施形態では、２７種の牌の図柄を各４個、計１０８個の牌を使用して遊技を行う雀球遊技機１を例に挙げて説明する。この２７種の牌の図柄は、例えば、萬子が「一萬」〜「九萬」の９種、筒子が「一筒」〜「九筒」の９種、索子が「一索」と「九索」の２種、字牌が「東」「南」「西」「北」「白」「發」「中」の７種である。従って、萬子と筒子が数牌となり、索子の「一索」と「九索」は、順子を形成することができないので字牌に含めている。これにより、本実施形態における牌種とは、上記の「萬子」、「筒子」、「字牌」の３種を示すことになる。なお、上記した２種の数牌は、萬子、筒子、及び索子のうちのいずれの２種であってもよく、例えば、萬子と索子とで数牌を形成した場合には、筒子の「一筒」と「九筒」とを字牌とするように選定した雀球遊技機を構成してもよい。
【００２２】
図１は、本実施形態における雀球遊技機１の全体を示す斜視図である。同図に示すように、本雀球遊技機１は、全体が板金からなる筐体１ｃと、該金属製の筐体１ｃに対して開閉可能に支持された前扉１ｂと、を備えている。これら筐体１ｃ及び前扉１ｂにより遊技機本体１ａが構成されている。前扉１ｂの前面部には、操作パネル３、該操作パネル３の下方に設けられた遊技球発射レバー４、メダル受け皿５、音声や効果音（以下、一括して音声という）を出力する音声出力装置であるスピーカー６、ランプ装置７等が配置されている。前扉１ｂには透明ガラス４１が取り付けられ、前扉１ｂの閉止時には該透明ガラス４１が遊技盤２と対向するように位置する。そして、前扉１ｂの透明ガラス４１を通した奥側で遊技盤２の前面には、図２に示す遊技エリアを形成する遊技盤面部２ａが配置されている。なお、符号１７は、不図示の発射装置によって打ち出された遊技球を遊技盤面部２ａ側に案内するガイドレールを示している。
【００２３】
本実施形態では、筐体１ｃは全体が板金（金属製）で構成される例を挙げて説明するが、本発明は、これに限らず、背面２６（図４参照）以外は樹脂製や木製のもの、つまり背面２６のみが金属製の筐体１ｃを備えた雀球遊技機にも適用でき、また、全体が樹脂製の筐体１ｃを備えた雀球遊技機や、背面２６のみが樹脂製の筐体１ｃを備えた雀球遊技機にも適用できる。すなわち、少なくとも背面２６が金属製若しくは樹脂製からなる遊技機本体１ａを備える雀球遊技機や、後述するスロットマシン６１においても少なくとも背面が金属製若しくは樹脂製からなる遊技機本体６１ａを備えたものであれば、本発明を適用することができる。
【００２４】
上記操作パネル３には、液晶表示装置等からなる画像表示部１４、メダル投入口１５、及び各種の操作ボタンが設けられている。この各種の操作ボタンとして、１３個のボタンが横方向に並設された捨て牌ボタン１６…、自摸牌捨てボタン３９、リーチボタン１８、牌選択右シフトボタン１９、牌選択左シフトボタン２０、自摸牌決定ボタン２１、払い出しボタン２２、遊技終了ボタン２３、遊技開始ボタン２４、及びリジェクト（ＲＥＪＥＣＴ）ボタン２５が配置されている。
【００２５】
図２に示すように、遊技盤面部２ａの略中央部には、液晶パネル等の画像表示装置３８を開口部１３から露出した状態のセンター飾り１２が配置されている。センター飾り１２は、開口部１３の上部に演出装置４０を有し、開口部１３の下部に遊技球の進路を振り分けるステージＳを有している。センター飾り１２の右方には、遊技球が通過可能なアタッカー作動通過口１０が配置され、該アタッカー作動通過口１０の直下方にはアタッカー９が配置されている。
【００２６】
センター飾り１２の上方には表示部３７が配置され、センター飾り１２の左右下方には入球口１１ａ，１１ｂが配置され、センター飾り１２の下方には入球口１１ｃ〜１１ｅ、…が配置されている。また、センター飾り１２の下方で且つ上記入球口１１ｃ〜１１ｅ、…の直ぐ上方には、各入球口の入球幅を規制するための多数の障害釘（図示せず）が打ち込まれている。なお、遊技盤面部２ａには、風車（図示せず）や上記とは別の障害釘（図示せず）が設けられている。
【００２７】
センター飾り１２におけるステージＳの下方には、複数個（本実施形態では２５個）の入球口１１ｃ、１１ｄ、１１ｅ、…を有した入球ユニット５３が配置されている。これら入球口１１ｃ、１１ｄ、１１ｅ、…は、索子牌を除いた牌の図柄２５種（図柄は図示せず）に対応して２５個が設けられている。入球口１１ａ，１１ｂにはそれぞれ「一索」と「九索」が表示されており、また入球口１１ｃには「一萬」、入球口１１ｄには「二萬」、入球口１１ｅには「三萬」というように、所要の麻雀牌図柄が順次表示されている。なお、符号５３ａは、入球ユニット５３の前カバーを示している。
【００２８】
また、遊技機本体１ａの内部には、図３に示すように、前扉１ｂ全体を開放した状態において、電源基板５５、主制御基板５６、ホッパユニット（貯留装置）５７、メダル払出し装置４８、及び受容箱５８が上部から下部に向かって配設されている。図３の正面視における、遊技球を遊技盤面部２ａに打ち出す発射装置５１の右上方には、循環ユニット７３が装着されている。筐体１ｃの背面におけるホッパユニット５７のやや上方には開口部２７が表裏貫通して形成されている。この開口部２７から、上記メダル補給部（補給部材）８５の先端部８７が挿入されてホッパユニット５７の上部に位置している。つまり、本実施形態の雀球遊技機１は、遊技機本体１ａ外部の不図示の自動補給機（遊技用媒体補給機）からメダル補給部８５を介してホッパユニット５７に遊技メダル（遊技用媒体）Ｍが補給されるように構成される。なお、符号５７ａは、隣接する受容箱５８に遊技メダルＭを排出するための排出口を示し、符号７１は打撃レバーを示している。
【００２９】
ついで、図４ないし図９を参照して、自動補給機のメダル補給部８５を遊技機本体１ａの背面２６（つまり、筐体１ｃの背面２６）に装着する構造について説明する。なお、図４は、当該装着構造におけるメダル補給部８５の装着前の状態を示す斜視図、図５は、装着構造におけるメダル補給部８５の装着の第１段階を示す斜視図、図６は、装着構造におけるメダル補給部８５の装着の第２段階を示す斜視図、図７は、メダル補給部８５の接続プレート（接続部材）２９への固定状況を示す斜視図、図８は、メダル補給部８５の接続プレート２９への固定後の状態を示す斜視図、図９は、図８のメダル補給部８５及び接続プレート２９を、一部断面した状態で示す側面図である。
【００３０】
図４に示すように、図１に示した遊技機本体１ａの背面２６の装着部４５にメダル補給部８５が取り付けられるのであるが、その場合、遊技機本体１ａとメダル補給部８５との間には、双方を接続する接続プレート（接続部材）２９が介在される。メダル補給部８５を固定する当該接続プレート２９は、メダル補給部８５を木ネジでネジ止めできるように木製でかつ略矩形プレート状に構成されている。
【００３１】
メダル補給部８５は、図９に示すように、接続プレート２９に複数本の木ネジ３６で固定される金属製の固定プレート部８８と、該固定プレート部８８の下部に、左右に突出するブラケット８６ｂをビス止めされた金属製の矩形筒状部８６と、該矩形筒状部８６の下部に連結されて該矩形筒状部８６に連通する金属製の先端部８７と、から構成される。なお、固定プレート部８８は、一般的には、木製の筐体に対して木ネジで固定される。矩形筒状部８６は、上方に開口するメダル取入れ部８６ａに、雀球遊技機１が設置される遊技島設備に設けられている不図示の自動補給機（遊技用媒体補給機）から延びる蛇腹状のホース９０（蛇腹状の形状については図示を省略）が連結される。このため、該自動補給機から所定の契機（例えば、ホッパユニット５７内の遊技メダルＭが不足した時点）で遊技メダルＭが放出されると、それら遊技メダルＭが、蛇腹ホース９０、矩形筒状部８６及び先端部８７を介して、遊技機本体１ａ内のホッパユニット５７に補給される。
【００３２】
また、遊技機本体１ａの背面２６には、メダル補給部８５の先端部８７を挿入する、略々矩形状の開口部２７と、接続プレート２９を装着する装着部４５と、が設けられている。背面２６に接続プレート２９を着脱自在に装着する当該装着部４５は、開口部２７の上方にて該開口部２７より大きく且つ接続プレート２９の面積よりやや大サイズの略々矩形状の嵌合凹部２８と、該嵌合凹部２８に嵌合した状態の接続プレート２９を抜け止め支持する支持部と、を有している。上記嵌合凹部２８は、接続プレート２９の厚みと同等の深みを有するように、かつ略矩形プレート状の接続プレート２９に対応する矩形状となるように形成されており、開口部２７にメダル補給部８５の先端部８７を挿入させつつ背面２６に接近する接続プレート２９を嵌合させる。なお、図４中の符号２８ａは嵌合凹部２８の底面を示し、符号２８ｂは、嵌合凹部２８に嵌合した接続プレート２９の外周面に当接して支持する内周面を示している。
【００３３】
また、上記支持部は、図４及び図５に示すように、略矩形状の嵌合凹部２８の左右幅方向の一側（左側）及び他側（右側）に配置されたスライド溝部材３２，３３と、接続プレート２９が嵌合凹部２８に嵌合した状態で一縁部３４ｃ，３５ｃを該接続プレート２９に接触させつつ他縁部３４ｄ，３５ｄをスライド溝部材３２に係合させるプレート部材３４，３５と、を有している。
【００３４】
また、スライド溝部材３２，３３は、上方側から係合したプレート部材３４，３５の下方側への抜けを規制するように折曲した爪状の規制部３２ｃ，３３ｃを有している。そして、プレート部材３４，３５は、スライド溝部材３４，３５に係合した状態で爪状の規制部３２ｃ，３３ｃに当接して係合する切欠き部３４ｂ，３５ｂをそれぞれ有している。図５中の符号３４ａ，３５ａは、切欠き部３４ｂ，３５ｂそれぞれの左右に位置する凸部を示している。
【００３５】
上記構造のメダル補給部８５を接続プレート２９に組み付ける際は、図７に示すように、接続プレート２９をその長辺が左右方向に沿うように位置させ、先端部８７を下方に向けたメダル補給部８５の固定プレート部８８を対向させつつ接触させ、固定プレート部８８の周囲に形成された複数の貫通孔８８ａにそれぞれ木ネジ３６を挿通して木製の接続プレート２９にねじ込む。これにより、図８に示すように、固定プレート部８８を介してメダル補給部８５が接続プレート２９に固定され、ユニット化される。このメダル補給部８５は、図９に示すように、背面２６に平行な状態で対面する接続プレート２９から斜め下方に先端部８７が突出するため、該先端部８７が開口部２７に挿入された際に、遊技機本体１ａ内のホッパユニット５７の上部に位置できるようになる。
【００３６】
そして、ユニット化させた上記メダル補給部８５を、遊技機本体１ａの背面２６に接近させ、開口部２７に先端部８７を挿入し、接続プレート２９を図４の矢印Ａ方向に移動させ、嵌合凹部２８に対して位置合わせしながら、底面２８ａに当接させ、図５に示すように嵌合させる。更に、この状態で左右のスライド溝部材３２，３３の間隙ｓに、その上方からプレート部材３４，３５をそれぞれ挿入して、図５の矢印Ｂ方向に移動（つまり下降）させる。この際、プレート部材３４，３５それぞれの幅ｄ（図６参照）は、スライド溝部材３２，３３それぞれの間隙ｓにプレート部材３４，３５の他縁部３４ｄ，３５ｄを完全に進入させた状態で、一縁部３４ｃ，３５ｃが接続プレート２９の左右縁部にそれぞれ接触し得る寸法に設定されている。これにより、図６に示すように、接続プレート２９が嵌合凹部２８に嵌合した状態で安定して保持され、従って、メダル補給部８５が該接続プレート２９を介して背面２６に適正に支持される。
【００３７】
なお、本実施形態では、接続プレート２９及びメダル補給部８５を、一方向（図４の矢印Ａ方向）の移動動作だけで背面２６に装着することができるので、挿入されたメダル補給部８５の上下方向の移動量が最小限に抑えられ、従って、開口部２７のサイズが最小限にされる。
【００３８】
また、プレート部材３４，３５の各一縁部３４ｃ，３５ｃを、図６における符号３４ｅ，３５ｅを付した一点鎖線で示すように接続プレート２９側に延ばし、固定プレート部８８の左右縁部に接触し得るように構成すれば、次のような効果も得ることが可能になる。すなわち、メダル補給部８５を背面２６に単に装着する点だけを考慮すれば、スライド溝部材３２，３３及びプレート部材３４，３５はいずれも、硬化プラスチック等の金属以外の材料でも構成できるが、スライド溝部材３２，３３及びプレート部材３４，３５を板金で作製すると共に、スライド溝部材３２，３３を金属製の背面２６を介してアースしておけば、金属製の固定プレート部８８に接触する一縁部３４ｅ，３５ｅを介して、メダル補給部８５、従って自動補給機をアースすることができる。
【００３９】
なお、メダル補給部８５の背面２６への装着状態では、図９に示すように、接続プレート２９の厚みが嵌合凹部２８内に収容された形になるので、固定プレート部８８における背面２６側を向く面が該背面２６と略々面一になって、背面２６の後方に突出することがない。これにより、背面２６が一般的な木製であった場合に該背面２６に固定プレート部８８を直接木ネジ３６で固定した状態と同じになるため、接続プレート２９を介在する本実施形態においてメダル補給部８５の先端部８７がホッパユニット５７に対して位置ズレすることはない。
【００４０】
続いて、上述した雀球遊技機１の遊技手順とこの手順に伴う各処理の概要について説明する。すなわち、１ゲームは、遊技者がメダル投入口１５へメダルを投入して、遊技開始ボタン２４を押圧し、１４個の手牌が画像表示部１４上に配牌表示されることによりスタートする。そして、遊技者が捨て牌ボタン１６ａ…、等の各種の操作ボタンを操作し、該操作に基づいて各種センサから発生される入力信号及び制御信号に基づき、１ゲームが進行していくことになる。
【００４１】
つまり、遊技者がメダル投入口１５にメダルを投入し、遊技開始ボタン２４を押圧すると、１ゲームの遊技が開始できる状態になり、引き続き、ゲームを開始するために必要な１４個の配牌の図柄が自動的に決められ、画像表示部１４の手牌表示部（図示せず）と自摸牌表示部（図示せず）に表示される。更に、表ドラ及び裏ドラの牌の図柄の画像が、画像表示部１４の不図示の表ドラ表示部と裏ドラ表示部に表示され、ビッグ役及びチャンス役がビッグゲーム上がり役表示部（図示せず）と、チャンスゲーム上がり役表示部（図示せず）とにそれぞれ表示される。そして、遊技の開始条件が整ったことが画面表示又は音声で遊技者に報知される。
【００４２】
この状態において、遊技者は、手牌表示部と自摸牌表示部に表示されている牌の図柄から、捨て牌を選択する操作を行う。遊技者は、捨てる牌の図柄を決定すると、この捨て牌の図柄に対応する捨て牌ボタン１６…、或いは自摸牌捨てボタン８のいずれか１つを選択（オン）してこの牌を捨てる。すると、遊技球が遊技球発射位置に１球送られ、遊技球発射レバー４の操作で遊技盤面２内に遊技球を発射できる状態になる。
【００４３】
遊技者が遊技球を発射し、この遊技球が入球口１１ａ、１１ｂ、１１ｃ、…の何れかに入球すると、該入球に対応する牌（自摸牌）の図柄が自摸牌表示部（図示せず）に表示される。この牌を自摸ったことで和了しない場合、遊技者は、１４個の手牌の中から不要と思われる１個の牌を捨てる捨て牌操作を行う。そして、遊技者は、このような操作を順次実行していき、所望の上がり役が聴牌（テンパイ）したと判断した時点で、リーチボタン１８を操作してリーチをかけ、或いはリーチをかけずに、１ゲーム中で発射可能な遊技球数が尽きるまで上がり牌を自摸る操作を続ける。
【００４４】
以上のように本実施形態では、メダル補給部８５を固定する木製の接続プレート２９と、背面２６に接続プレート２９を着脱自在に装着する装着部４５とを備え、該装着部４５が、メダル補給部８５を固定した接続プレート２９を、メダル補給部８５の先端部８７を開口部２７に挿入した状態で嵌合させる嵌合凹部２８と、該嵌合凹部２８に嵌合した状態の接続プレート２９を抜け止め支持するスライド溝部材３２，３３及びプレート部材３４，３５と、を有している。このため、木製の接続プレート２９に対してメダル補給部８５を木ネジ３６で簡単に固定することができ、更に、この接続プレート２９を介して、メダル補給部８５を背面２６の装着部４５に簡単に装着することができる。従って、雀球遊技機１の背面２６が金属製であっても、自動補給機のメダル補給部８５を簡便に取り付けることができる。
【００４５】
また、本実施形態では、嵌合凹部２８に嵌合させた接続プレート２９を抜け止め支持する支持部が、スライド溝部材３２，３３とプレート部材３４，３５とを有するので、メダル補給部８５を固定した状態の接続プレート２９を嵌合凹部２８に嵌合させてから、プレート部材３４，３５をスライド溝部材３２，３３に係合させるだけで、メダル補給部８５を背面２６に簡便にかつ確実に取り付けることができる。
【００４６】
更に、本実施形態では、スライド溝部材３２，３３が、略矩形状の嵌合凹部２８の左右幅方向の一側及び他側にそれぞれ配置されると共に、上方側から係合したプレート部材３４，３５の下方側への抜けを規制する規制部３２ｃ，３３ｃを有するので、メダル補給部８５を固定した状態の接続プレート２９を嵌合凹部２８に嵌合させた後、プレート部材３４，３５を上方側からスライド溝部材３２，３３に係合させると、規制部３２ｃ，３３ｃに当接することでプレート部材３４，３５の移動が自動的に止まり、その時点でメダル補給部８５を背面２６に確実に固定することができる。
【００４７】
しかも、スライド溝部材３２，３３の上方側から係合させたプレート部材３４，３５の下方への移動を規制部３２ｃ，３３ｃで規制するので、プレート部材３４，３５を重力方向に安定して保持することができる。そして、プレート部材３４，３５が、スライド溝部材３２，３３に係合した状態で爪状の規制部３２ｃ，３３ｃに当接して係合する切欠き部３４ｂ，３５ｂを有するので、プレート部材３４，３５をより安定して保持することができる。
【００４８】
ついで、図１０ないし図１３を参照して、本発明に係る他の実施形態について説明する。本実施形態は、先の実施形態におけるメダル補給部８５の装着工程を、より簡略化したものである。本実施形態では、メダル補給部８５の構成、及び該メダル補給部８５に接続プレート２９をネジ止め固定したユニット構成は、先の実施形態で説明したものと同じであるので、それらに関する詳細な説明は省略する。なお、図１０は、メダル補給部８５を背面２６に装着する装着構造におけるメダル補給部８５の装着前の状態を示す斜視図、図１１は、装着構造においてメダル補給部８５を装着した状態を示す斜視図、図１２は、装着構造を遊技機本体１ａの内側から見た状態で示す斜視図である。また図１３は、本実施形態における装着部４６の嵌合凹部４７の奥側に設けられる底面形成部材４４を示し、（ａ）は底面形成部材４４を前側から見た状態で示す斜視図、（ｂ）は底面形成部材４４の背面図、（ｃ）は底面形成部材４４の平面図、（ｄ）は底面形成部材４４の側面図である。
【００４９】
すなわち、本実施形態では、図１０に示すように、先の実施形態と同様、メダル補給部８５の先端部である先端部８７を挿入する、略々矩形状の開口部２７と、接続プレート２９を装着する装着部４６とが、背面２６に設けられている。
【００５０】
上記装着部４６は、開口部２７の上方にて該開口部２７より大きく且つ接続プレート２９の面積よりやや大サイズの略々矩形状の嵌合凹部４７と、該嵌合凹部４７に嵌合した状態の接続プレート２９を抜け止め支持する支持部と、を有している。上記嵌合凹部４７は、先の実施形態と同様、接続プレート２９の厚みと同等の深みを有するように、かつ接続プレート２９に対応する矩形状となるように形成されて、開口部２７にメダル補給部８５の先端部を挿入させつつ背面２６に接近する接続プレート２９を嵌合させるのであるが、底面４４ｄ等の構成が異なっている。
【００５１】
つまり、本実施形態における嵌合凹部４７は、先の嵌合凹部２８と同等の位置に貫通形成された開口部４７ａに対しその裏側から底面形成部材４４を取り付けることで、有底の凹部として形成されている。この底面形成部材４４は、図１２及び図１３（ａ）〜（ｄ）に示すように、遊技機本体１ａ内側の内面２６ａから開口部４７ａを塞ぐように取り付けられるもので、内面２６ａ（即ち、背面２６でもある）の厚み分と合わさって、接続プレート２９の厚みを吸収して嵌合し得る深みを成す内側面４４ｅと、該内側面４４ｅの奥側に位置して嵌合凹部４７の底面を形成する底面部４４ｄと、を備えた略矩形状に構成されている。
【００５２】
更に、底面形成部材４４は、底面部４４ｄを囲繞する縁部４４ｂと、該縁部４４ｂに形成された複数（本実施形態では４つ）の貫通孔４４ａとを有すると共に、嵌合凹部４７の左右幅方向の一側（左側）及び他側（右側）に位置するように突出する、上記支持部を構成する板バネ部（弾性爪部）４２，４３を有している。これら板バネ部４２，４３は、接続プレート２９が嵌合凹部４７に接近して嵌合するとき該嵌合凹部４７の左右方向に一旦広がるように弾性変形し、接続プレート２９が嵌合凹部４７に嵌合した時点で復元して、接続プレート２９の左右縁部を係止して抜け止め保持する。その際に、接続プレート２９を確実に係止できるように、板バネ部４２，４３の先端４２ａ，４３ａ（図１０参照）は内側に鉤状に屈曲している。つまり、板バネ部４２，４３は、この鉤状に屈曲するそれぞれの先端４２ａ，４３ａが底面部４４ｄ側に突出して、両先端間の寸法が接続プレート２９の左右幅寸法より小さくなるように構成される。また、先端４２ａ，４３ａが鉤状に屈曲することで、これら先端４２ａ，４３ａの接続プレート２９側に向く面が底面部４４ｄ側に傾斜し、矢印Ｃ方向に移動する接続プレート２９を迎え入れて広がるように構成される。
【００５３】
また、底面部４４ｄの左右には、底面部４４ｄ側に基部を有する板バネ部４２，４３が接続プレート２９の受け入れ時に外側に弾性変形し得るようにするための空間部４４ｃが設けられている。そして、図１０に示すように、背面２６の嵌合凹部４７の周囲における上記縁部４４ｂそれぞれに対向する位置には、ナット８が固定されている。
【００５４】
上記構成を有する底面形成部材４４は、内面２６ａ側から開口部４７ａを塞ぐように該開口部４７ａの周囲に縁部４４ｂを当接された状態で、貫通孔４４ａから固定用ビス（図示せず）を貫通されて背面２６側のナット８にそれぞれ螺合されることで、堅固に固定される。これにより、嵌合凹部４７は、図１０のように板バネ部４２，４３を左右に突出させた状態に構成される。
【００５５】
そして、装着部４６に装着する場合は、先の実施形態と同様にユニット化させたメダル補給部８５を、遊技機本体１ａの背面２６に接近させ、開口部２７に先端部８７を挿入し、接続プレート２９を図１０の矢印Ｃ方向に移動させる。すると、接続プレート２９の左右縁部が板バネ部４２，４３の先端４２ａ，４３ａに当接しながら進むことで、板バネ部４２，４３が左右に広がり、接続プレート２９が底面部４４ｄ側に収容された瞬間に復元する。これにより、図１１に示すように、接続プレート２９の左右縁部が係止され、確実に抜け止め保持される。なお、保持した接続プレート２９を装着部４６から取り外す場合は、ドライバー等の工具を使用して板バネ部４２，４３の少なくとも一方を広げて処理することになる。
【００５６】
以上説明した他の実施形態によると、嵌合凹部４７の一側及び他側に配置された板バネ部４２，４３により支持部が構成されるので、接続プレート２９を嵌合凹部４７に嵌合させるため一方向に移動させるだけで、該嵌合凹部４７への嵌合と同時に、該嵌合凹部４７両側の板バネ部４２，４３を押し広げながら該板バネ部４２，４３に簡単に係合させることができる。従って、メダル補給部８５を装着部４６に取り付ける際の操作をワンタッチ化して、より簡略にすることができる。そして、接続プレート２９が嵌合凹部４７に接近して嵌合するとき該嵌合凹部４７の左右方向に一旦弾性変形し、接続プレート２９が嵌合凹部４７に嵌合した時点で復元する板バネ部４２，４３が設けられていることで、接続プレート２９の戻り止め構造が極めてシンプルになる。
【００５７】
なお、本発明は、上述した雀球遊技機１に限らず、図１４に示すようなスロットマシン（回胴遊技機）６１や、アレンジボール遊技機（図示せず）に適用されてもよい。同図は、スロットマシン６１の外部構造を概略的に示す斜視図である。
【００５８】
スロットマシン６１は、図１４に示すように、筐体６２と、筐体６２の一側部に開閉自在に取り付けられて遊技者に面する前扉６３とを備えている。これら筐体６２と前扉６３とによって遊技機本体６１ａが構成される。
【００５９】
前扉６３は、図１４の上下方向における略中央部分に操作パネル６４を有し、操作パネル６４の上方及び下方に、液晶表示パネル６６及びメダル受け皿６７をそれぞれ有している。このメダル受け皿６７内には、入賞時にメダル払出し口６５から遊技メダルが払い出される。また、液晶表示パネル６６の上方には、クレジット枚数、ベット（ＢＥＴ）枚数、及び払い出し状況等を表示するための遊技状態表示部６８が設けられている。操作パネル６４には、上面にベットボタン６９及びメダル投入部７０が配置され、前面にスタートレバー７２及び３個のストップボタン７４が配置されている。なお、同図において、液晶表示パネル６６内方に見えるはずの回胴リール等は、便宜上図示を省略している。
【００６０】
筐体６２の内方には、中央部分に回胴リール装置（図示せず）が設けられ、最下部に図３で説明したものと同様のホッパユニット（図示せず）が配置されている。このホッパユニットは、入賞時にメダル払出し口６５から払い出すための多数の遊技メダルを収容する。更に、ホッパユニットの側方に隣接するように、該ホッパユニットから溢れ出た遊技メダルを収容し得る受容箱（図示せず）が配置されている。
【００６１】
このようなスロットマシン６１によっても、先の実施形態と同様の作用効果を奏することができる。
【００６２】
以上、本発明をその好適な実施形態に基づいて説明したが、本発明の遊技機は、上記実施形態の構成にのみ限定されるものではなく、上記実施形態の構成から種々の修正及び変更を施した遊技機も、本発明の範囲に含まれる。
【図面の簡単な説明】
【００６３】
【図１】本発明の実施形態における雀球遊技機の外部構造を示す斜視図である。
【図２】図１における遊技盤面部を抜粋して示す斜視図である。
【図３】雀球遊技機の前扉全体を開放して内部構造を示す正面図である。
【図４】装着構造におけるメダル補給部の装着前の状態を示す斜視図である。
【図５】装着構造におけるメダル補給部の装着の第１段階を示す斜視図である。
【図６】装着構造におけるメダル補給部の装着の第２段階を示す斜視図である。
【図７】メダル補給部の接続プレートへの固定状況を示す斜視図である。
【図８】メダル補給部の接続プレートへの固定後の状態を示す斜視図である。
【図９】図８のメダル補給部及び接続プレートを、一部断面した状態で示す側面図である。
【図１０】本発明の他の実施形態におけるメダル補給部を背面に装着する装着構造におけるメダル補給部の装着前の状態を示す斜視図である。
【図１１】他の実施形態における装着構造においてメダル補給部を装着した状態を示す斜視図である。
【図１２】他の実施形態における装着構造を遊技機本体の内側から見た状態で示す斜視図である。
【図１３】他の実施形態における装着部の嵌合凹部の奥側に設けられる底面形成部材を示し、（ａ）は底面形成部材を前側から見た状態で示す斜視図、（ｂ）は底面形成部材の背面図、（ｃ）は底面形成部材の平面図、（ｄ）は底面形成部材の側面図である。
【図１４】スロットマシンの外部構造を概略的に示す斜視図である。
【符号の説明】
【００６４】
１，６１    遊技機（雀球遊技機、スロットマシン）
１ａ，６１ａ    遊技機本体
２６    背面
２７    開口部
２８，４７    嵌合凹部
２９    接続部材（接続プレート）
３２，３３，３４，３５    支持部（スライド溝部材、プレート部材）
３２ｃ，３３ｃ    規制部
３４ｂ，３５ｂ    切欠き部
４２，４３    支持部、弾性爪部（板バネ部）
４５，４６    装着部
５７    貯留装置（ホッパユニット）
８５    メダル補給部（補給部材）
８７    先端部
Ｍ    遊技用媒体（遊技メダル）
【図１】
2008301867.tif 000003
【図２】
2008301867.tif 000004
【図３】
2008301867.tif 000005
【図４】
2008301867.tif 000006
【図５】
2008301867.tif 000007
【図６】
2008301867.tif 000008
【図７】
2008301867.tif 000009
【図８】
2008301867.tif 000010
【図９】
2008301867.tif 000011
【図１０】
2008301867.tif 000012
【図１１】
2008301867.tif 000013
【図１２】
2008301867.tif 000014
【図１３】
2008301867.tif 000015
【図１４】
2008301867.tif 000016